(57)【要約】      （修正有）【課題】塗着物が付着した左官用鏝を携帯する際、左官用鏝に付着した塗着物が周囲の物に付着し汚れることを防止又は減少させることができるものを提供する。【解決手段】鏝板と、鏝板の一面から突出するように形成された連結部３０５と、連結部により鏝板と連結される柄３０７と、を有してなる左官用鏝３０１の鏝板を収容する左官用鏝収容具であって、鏝板を収容する内部空間２７と、鏝板が該内部空間に挿入される一端側に形成された一端開口２９ａと、を有する中空筒形状の本体部と、本体部の該一端側の縁部２５ａに形成され、鏝板が該内部空間２７に挿入された状態の連結部が係合する切り欠き部と、を備えてなる、左官用鏝収容具である。【選択図】図８
0003137177.tif 000002
【実用新案登録請求の範囲】
【請求項１】
鏝板と、鏝板の一面から突出するように形成された連結部と、連結部により鏝板と連結される柄と、を有してなる左官用鏝の鏝板を収容する左官用鏝収容具であって、
鏝板を収容する内部空間と、鏝板が該内部空間に挿入される一端側に形成された一端開口と、を有する中空筒形状の本体部と、
本体部の該一端側の縁部に形成され、鏝板が該内部空間に挿入された状態の連結部が係合する切り欠き部と、
を備えてなる、左官用鏝収容具。
【請求項２】
本体部の他端に他端開口が形成されるものである、請求項１に記載の左官用鏝収容具。
【請求項３】
切り欠き部が、前記一端から他端側に向かって幅が狭まる幅減少部を有するものである、請求項１又は２に記載の左官用鏝収容具。
【請求項４】
本体部が扁平な中空筒形状をしており、内部空間の断面形状のうち最大寸法方向に沿って鏝板が収容されるものである、請求項１乃至３のいずれか１に記載の左官用鏝収容具。
【請求項５】
使用者が水平面に直立した場合に本体部の前記一端が前記他端よりも上に存するよう、該使用者の身体に周回される帯体に本体部を取り付ける取付手段を備えるものである、請求項１乃至４のいずれか１に記載の左官用鏝収容具。
【請求項６】
取付手段が、前記他端よりも前記一端に近い位置において前記帯体を貫通させる貫通部である、請求項５に記載の左官用鏝収容具。
【考案の詳細な説明】
【技術分野】
【０００１】
本考案は、左官用鏝収容具に関し、より詳細には、壁面や床面等を形成するためにセメント、コンクリート、モルタル、漆喰、泥等のようなスラリー（懸濁）状の塗着物を塗着するのに左官が用いる鏝（左官用鏝）を収容する収容具に関する。
【背景技術】
【０００２】
左官が用いる鏝（こて）は、セメント、コンクリート、モルタル、漆喰、泥等のようなスラリー状の塗着物を塗ったり平らにならしたりするのに広く用いられている（例えば、特許文献１参照）。
特許文献１には「合成樹脂製の鏝板を備えた、モルタルや土壁を仕上げる左官鏝を、鏝板が変形しにくいものとする」（要約中の課題）ために発明されたものであり、具体的には、「長手方向に延びる背板をインサートさせて、合成樹脂製の鏝板を成型する左官鏝において、鏝板の後端付近から鏝板の前半部中間位置まで広幅の背板主体部を形成し、該背板には、背板主体部の前端から鏝板の前端付近に達する細幅のリブを延長させたことを特徴とする左官鏝」（特許請求の範囲、請求項１）が開示されている。さらに、「背板主体部２ａの上面には、把手５を固定するために二本の連結杆６が固定してある」（段落番号００１２後段）とあるように、特許文献１に開示の左官用鏝を含め従来の左官用鏝は、鏝板（特許文献１中、鏝板１）と、鏝板の一面から突出するように形成された連結部（特許文献１中、連結杆６）と、連結部により鏝板と連結される柄（特許文献１中、把手５）と、を有してなる左官用鏝が一般的である。
鏝板と、鏝板の一面から突出するように形成された連結部と、連結部により鏝板と連結される柄と、を有してなる左官用鏝は、柄を左官が手で把持し、鏝板の塗着面（連結部が突設された面とは反対側の面）によってセメント、コンクリート、モルタル、漆喰、泥等のようなスラリー状の塗着物を塗ったり平らにならしたりして塗着することに用いられる。
【０００３】
【特許文献１】特開２００７−６３７６０号公報（要約、特許請求の範囲、段落番号００１１〜００１６、第１図〜第３図等）
【考案の開示】
【考案が解決しようとする課題】
【０００４】
鏝板と、鏝板の一面から突出するように形成された連結部と、連結部により鏝板と連結される柄と、を有してなる左官用鏝は、スラリー状の塗着物を塗着するのに用いられると塗着物が付着することから、その後、塗着物が付着した左官用鏝を携帯すると周囲の物に塗着物が付着し汚れるという問題があった（例えば、携帯する左官の身体や衣服に塗着物が付着し汚れる。）。
そこで、本考案では、塗着物が付着した左官用鏝を携帯する際、左官用鏝に付着した塗着物が周囲の物に付着し汚れることを防止又は減少させることができるものを提供することを目的とする。
【課題を解決するための手段】
【０００５】
本考案者は、左官用鏝が塗着物を塗着するのに用いられると左官用鏝の鏝板に主として塗着物が付着することに基づき、左官用鏝を携帯する際、左官用鏝の鏝板を収容する左官用鏝収容具を用いることで左官用鏝に付着した塗着物が周囲の物に付着し汚れることを防止又は減少させることができることを見出し本考案を完成させるに至った。
即ち、本考案の左官用鏝収容具（以下、「本収容具」という。）は、鏝板と、鏝板の一面から突出するように形成された連結部と、連結部により鏝板と連結される柄と、を有してなる左官用鏝の鏝板を収容する左官用鏝収容具であって、鏝板を収容する内部空間と、鏝板が該内部空間に挿入される一端側に形成された一端開口と、を有する中空筒形状の本体部と、本体部の該一端側の縁部に形成され、鏝板が該内部空間に挿入された状態の連結部が係合する切り欠き部と、を備えてなる、左官用鏝収容具である。
【０００６】
本収容具は、上述したように、鏝板と、鏝板の一面（鏝板が有する両主表面のうち、塗着物に面する塗着面とは反対側の面）から突出するように形成された連結部と、連結部により鏝板と連結される柄と、を有してなる左官用鏝に用いられる。本収容具は、かかる左官用鏝の鏝板を収容する（必ずしも鏝板の全部を収容するものでなくてもよく、鏝板の少なくとも一部を収容すればよい）。
本収容具は、大まかには、中空筒形状の本体部と、本体部の一端側の縁部に形成される切り欠き部と、を備えてなる。
本体部は、内部空間を有する中空筒形状をしている。内部空間は、内部空間に含まれる線分の一端の方向である一端側に形成された一端開口を経由して外部空間と連通しており、該線分に対して垂直ないずれの方向（切り欠き部の方向は除く）に関しても内部空間は筒（本体部が形成する筒の壁）によって取り囲まれている。この本体部は、一端側に形成された一端開口から鏝板が内部空間へ挿入され（必ずしも鏝板の全部が挿入されるものでなくてもよく、鏝板の少なくとも一部が挿入されればよい）、それによって本体部の内部空間に鏝板が収容される（必ずしも鏝板の全部を収容するものでなくてもよく、鏝板の少なくとも一部を収容すればよい）。
切り欠き部は、本体部の該一端側（一端開口が形成される側）の縁部（一端開口を規定する縁部）に該一端から他端（該線分の他端であり、該一端とは反対端）に向かって該一端から連続するよう切り欠き状に形成される。そして、鏝板が該内部空間（本体部の内部空間）に挿入された状態の（左官用鏝の）連結部が係合するので、切り欠き部のうち連結部が係合する位置が該一端から該他端に向かう距離分は（切り欠き部が形成されていない本体部の該一端側の縁部に連結部が当接した状態よりも）鏝板が該内部空間（本体部の内部空間）に深く挿入されるので、塗着物が付着した鏝板を本体部によって広範囲に覆うことができ、左官用鏝（主として鏝板）に付着した塗着物が周囲の物に付着し汚れることを防止又は減少させることができる。
【０００７】
本収容具においては、本体部の他端に他端開口が形成されるものであってもよい。
本体部の内部空間に収容される鏝板に付着した塗着物は、セメント、コンクリート、モルタル、漆喰、泥等のようなスラリー状のものであり、該内部空間において鏝板から脱離することがある。このため本体部の内部空間には、スラリー状態（未乾燥）の塗着物や水分等が蒸発して乾燥した塗着物が蓄積物として存在することが多い。かかる残留物を本体部の内部空間から効果的に排出するには本体部の他端に他端開口を形成してもよい（例えば、一端開口を上方に向けて本収容具を使用する場合、本体部の他端に蓄積物が蓄積されやすいので、該他端に他端開口を設けておけば、他端開口から蓄積物の排出が促進される。）。
【０００８】
本収容具においては、切り欠き部が、前記一端から他端側に向かって幅が狭まる幅減少部を有するものであってもよい。
鏝板が該内部空間（本体部の内部空間）に挿入される際、本体部の該一端側（一端開口が形成される側）の縁部（一端開口を規定する縁部）から他端（該一端とは反対端）に向かって該一端から連続するよう切り欠き状に形成された切り欠き部に左官用鏝の連結部は係合する必要がある。このとき切り欠き部が、前記一端から他端側に向かって幅（切り欠き部を連結部が移動する方向に対して垂直方向の寸法）が狭まる幅減少部（例えば、切り欠き部を連結部が他端側に移動するにつれて幅が単調減少するものを例示できる。）を有すれば、幅の広い前記一端において比較的容易に連結部は切り欠き部に係合することができ、その後、幅減少部に沿って連結部は他端側に円滑に移動することができるので、左官用鏝の連結部を切り欠き部に容易かつ円滑に係合させることができる。
【０００９】
本体部が扁平な中空筒形状をしており、内部空間の断面形状のうち最大寸法方向に沿って鏝板が収容されるものであってもよい。
鏝板は、通常、厚みの割に幅が広い板状部材により形成されるので、鏝板を収容する本体部の内部空間も該板状部材の形状に対応させて扁平なものにしてやってもよく、そうすることで本体部を小型化することができる。内部空間を扁平にしてやるには、本体部を扁平な中空筒形状とし、本体部の内部空間の断面形状（鏝板が内部空間に向かって挿入される方向に対して垂直な平面による断面形状）のうち最大寸法方向に沿って鏝板が収容される（鏝板の厚み方向が最小寸法方向となり、鏝板の幅方向が最大寸法方向に略なる。）ようにすればよい。
【００１０】
本収容具においては、使用者が水平面に直立した場合に本体部の前記一端が前記他端よりも上に存するよう、該使用者の身体に周回される帯体に本体部を取り付ける取付手段を備えるもの（以下、「帯体取付具」という。）であってもよい。
左官用鏝は、塗着物を実際に塗着するのに用いられていないとき、左官が携帯しようとすると次のような問題があった。即ち、左官が他の作業等を行うため左官用鏝を手で把持できない場合には、柄を腰回りのベルト等に引っかけることで左官用鏝を身につけ携帯していた。このように柄をベルト等に引っかけた状態では、左官用鏝が容易に脱落するものであり、脱落する度に再度引っかけることを要し煩雑であるし、高所作業において左官用鏝が脱落すれば人や物をきずつける危険性があった。
このため本収容具の使用者の身体に周回される帯体（例えば、腰回りのベルト）に本体部を取り付ける取付手段を備えれば、取付手段によって該帯体に本体部が取り付けられた帯体取付具に左官用鏝を収容することができるので、手で左官用鏝を把持することなく確実に左官用鏝を携帯できる。そして、使用者が水平面に直立した場合に本体部の前記一端が前記他端よりも上に存するよう取付手段が帯体に本体部を取り付けるので、一端開口が上に向いた状態となり、一端開口から内部空間へ挿入された鏝板が不意に落下することを防止すると共に、一端開口を経て鏝板を容易に抜き差しすることができる。
【００１１】
帯体取付具においては、取付手段が、前記他端よりも前記一端に近い位置において前記帯体を貫通させる貫通部であってもよい。
こうすることで貫通部が帯体を貫通させるので、（帯体が、使用者の身体に周回されていれば）帯体に取り付けられた取付手段（貫通部）が不意に帯体から脱落することを防止又は減少させることができる。また、貫通部が、前記他端よりも前記一端に近い位置において前記帯体を貫通させることで、使用者が水平面に直立した場合に本体部の前記一端が前記他端よりも上に存するように構成しやすくなる（左官用鏝を収容した帯体取付具の重心よりも、帯体が貫通した貫通部の方が上方に位置するように構成しやすい。）。
【考案を実施するための最良の形態】
【００１２】
本考案の実施の形態を図面を参照して詳述するが、本考案はこれに限定されるものではない。
【００１３】
図１は、一例の本考案の左官用鏝収容具（本収容具）１１を示す斜視図であり、図２は本収容具１１の右側面図（図１中、矢印Ｃ方向から見たところを示している。）であり、図３は本収容具１１の平面図（図１中、矢印Ｄ方向から見たところを示している。）であり、そして図４は本収容具１１の断面図（具体的には、図４（ａ）は図１のＡ−Ａ断面図であり、図４（ｂ）は図１のＢ−Ｂ断面図である。）である。図１乃至図４を参照して、本収容具１１について説明する。
【００１４】
本収容具１１は、大まかには、両端が開放された中空の直楕円柱を略なす本体部２１と、本体部２１の一端２３ａ側の縁部２５ａに形成された切り欠き部３１と、使用者（図示省略）の腰部分（図示省略）に周回（装着）される帯体１０１（所謂、腰ベルト。一部図示）に本体部２１を取り付ける取付環状部４１（取付環状部４１と本体部２１とは固着されている。）と、を備えてなる。
なお、ここでは本体部２１と取付環状部４１とはいずれも厚紙（例えば、数ミリ程度の厚さ）によって形成されているが、これに限定されるものでないことは言うまでもなく、種々の材料（例えば、樹脂材料、ゴム材料、木材、金属（例えば、鋼材、アルミニウム））によって形成されてよい。
【００１５】
本体部２１は、中空の直楕円柱形状（中空筒形状）を略なしており、内部空間２７と、外部空間２０１と内部空間２７とを連通させる一端２３ａ側に形成された一端開口２９ａと、外部空間２０１と内部空間２７とを連通させる他端２３ｂ側に形成された他端開口２９ｂと、を有してなる。即ち、本体部２１は、無底無蓋の中空の直楕円柱形状（中空筒形状）を略なすものであり、一端開口２９ａ及び他端開口２９ｂにより外部空間２０１に連通する内部空間２７を有する。
また、本体部２１が略なす直楕円柱形状の直楕円柱は、内部空間２７に含まれる線分（図中、点線Ｘにて示す。以下、線分Ｘ）に対するいずれの垂直断面においても（切り欠き部３１が形成された部分を除き）同じ形状をしている。また、ここでは線分Ｘは、いずれの該垂直断面においても、該形状の重心位置（該形状を表面がした非常に薄く均一な材質で形成した板の重心の位置）を通過する。内部空間２７は、内部空間２７に含まれる線分Ｘの一端２４ａの方向である一端２３ａ側に形成された一端開口２９ａを経由して外部空間２０１と連通しており、線分Ｘに対して垂直ないずれの方向（切り欠き部３１の方向は除く）に関しても内部空間２７は筒（本体部２１が形成する筒の壁）によって取り囲まれている。
【００１６】
切り欠き部３１は、本体部２１の一端２３ａ側の縁部２５ａに、一端２３ａから他端２３ｂに向かって一端２３ａから連続するよう切り欠き状（入り江状）に本体部２１が切り欠かれることで形成されている。切り欠き部３１は、一端２３ａから他端２３ｂ側に向かって幅（図１中、幅Ｗ）が狭まるように形成された幅減少部３５（ここの幅減少部３５においては、一端２３ａから他端２３ｂ側に向かうにつれて幅Ｗは単調減少する。）と、幅減少部３５の他端２３ｂ側に連なり幅Ｙが一定の幅一定部３３と、を有してなる。切り欠き部３１（幅減少部３５と幅一定部３３とのいずれも）は、線分Ｘを含む平面Ｐ（図３及び図４（ａ）参照）に関して面対称に略形成されている。
【００１７】
取付環状部４１は、帯状部材がリング状（環状）に形成されてなり、本体部２１の背面（切り欠き部３１が形成された面とは反対側の面）のうち一端２３ａ近傍に十分な強度で取り付けられている（例えば、接着、図示しない接続具等により取り付けられる）。取付環状部４１が有する貫通穴４３を帯体１０１が貫通しており、これによって使用者（図示省略）の腰部分（図示省略）に周回（装着）される帯体１０１に本体部２１が確実に取り付けられる。
【００１８】
次いで、本収容具１１の使用方法を説明する。
図５乃至図８は、図１乃至図４に示した本収容具１１に左官用鏝３０１を収容したところを示す図である。なお、描いた位置は、図５は図１に、図６は図２に、図７は図３に、そして図８は図４（具体的には、図８（ａ）は図５のＡ−Ａ断面図であり、図８（ｂ）は図５のＢ−Ｂ断面図である。）にそれぞれ対応する。
本収容具１１に収容する左官用鏝３０１は、鏝板３０３と、鏝板３０３の一面から突出するように形成された連結部３０５（ここでは一対の連結部３０５、３０５を有する。）と、連結部３０５により鏝板３０３と連結される柄３０７と、を有してなるものであり、従来から用いられている左官用鏝と同様のものである。
【００１９】
図５乃至図８に示すように本収容具１１に左官用鏝３０１を収容するには、まず、使用者（図示省略）の腰部分（図示省略）に帯体１０１を周回し本体部２１を使用者（図示省略）に固定する。
次いで、使用者（図示省略）が、左官用鏝３０１の柄３０７を手で把持し、左官用鏝３０１の鏝板３０３を先端部３０３ａから一端開口２９ａに挿入する。そして、連結部３０５が切り欠き部３１（幅一定部３３）の最も奥（他端２３ｂ側）に位置する縁３３ｃに当接（特に、図６及び図８（ｂ）参照）するまで左官用鏝３０１を本体部２１に対して他端２３ｂ側に移動させる（幅一定部３３の幅Ｙは、連結部３０５の幅よりも大きく、連結部３０５は切り欠き部３１を他端２３ｂ側に円滑に移動することができる。）。図５乃至図８は、連結部３０５が切り欠き部３１（幅一定部３３）の最も奥に位置する縁３３ｃに当接し（さらなる移動が禁止される）、鏝板３０３が内部空間２７に挿入されると共に連結部３０５が切り欠き部３１（幅一定部３３）に係合したところを示している。このように鏝板３０３が内部空間２７に挿入された状態では、中空の直楕円柱形状（扁平な中空筒形状）をしている本体部２１が有する内部空間２７の断面形状のうち最大寸法方向（図７及び図８（ａ）中、矢印Ｅにて示す。ここでは楕円の長軸方向である。）に沿って鏝板３０３が収容されている（該最大寸法方向に鏝板３０３の主表面が略平行である）。そして、使用者（図示省略）が水平面に直立した場合には、本体部２１の前記一端２３ａが前記他端２３ｂよりも上に存する（図中、上方向を矢印Ｆ１にて、そして下方向を矢印Ｆ２にて、それぞれ示す。左官用鏝３０１を図５乃至図８のように収容した本収容具１１の重心は、帯体１０１が貫通した取付環状部４１の貫通穴４３よりも十分下方に存する。）。
逆に、図５乃至図８のように本収容具１１に左官用鏝３０１が収容された状態から左官用鏝３０１の使用等のため左官用鏝３０１を取り出すには、使用者（図示省略）が、左官用鏝３０１の柄３０７を手で把持し左官用鏝３０１を一端２３ａ側（ここでは上方）に移動させ引き抜けばよい。
【００２０】
以上説明した通り、本収容具１１は、鏝板３０３と、鏝板３０３の一面から突出するように形成された連結部３０５（ここでは一対の連結部３０５、３０５を有する。）と、連結部３０５により鏝板３０３と連結される柄３０７と、を有してなる左官用鏝３０１の鏝板３０３を収容する左官用鏝収容具であって、鏝板３０３を収容する内部空間２７と、鏝板３０３が該内部空間２７に挿入される一端２３ａ側に形成された一端開口２９ａと、を有する中空筒形状（ここでは中空の直楕円柱形状）の本体部２１と、本体部２１の該一端２３ａ側の縁部２５ａに形成され、鏝板３０３が該内部空間２７に挿入された状態の連結部３０５が係合する切り欠き部３１と、を備えてなる、左官用鏝収容具である。本体部２１は、鏝板３０３が一端２３ａ側から内部空間２７に挿入可能な一端２３ａが開放された中空筒形状（ここでは中空の直楕円柱形状）をしている。切り欠き部３１は、本体部２１の該一端２３ａから他端２３ｂに向かって該一端２３ａから連続するよう切り欠き状に形成され、鏝板３０３が該一端２３ａ側から内部空間２７に挿入される際、連結部３０５の少なくとも一部と柄３０７とが本体部２１の外部空間２０１に突出した状態で連結部３０５が該一端２３ａ側から所定位置（ここでは連結部３０５が切り欠き部３１（幅一定部３３）の最も奥に位置する縁３３ｃに当接する位置）まで移動可能である（連結部３０５が切り欠き部３１（幅一定部３３）を規定する縁部（最も奥に位置する縁３３ｃ）に当接することで、それよりも前記他端２３ｂ側への鏝板３０３の移動を禁止する。）。
【００２１】
そして、本収容具１１においては、本体部２１の他端２３ｂに他端開口２９ｂが形成されるものである。
加えて、本収容具１１においては、切り欠き部３１が、前記一端２３ａから他端２３ｂ側に向かって幅が狭まる幅減少部３５を有するものである。
また、本収容具１１においては、本体部２１が扁平な中空筒形状（ここでは中空の直楕円柱形状）をしており、内部空間２７の断面形状のうち最大寸法方向（図７及び図８（ａ）中、矢印Ｅにて示す。ここでは楕円の長軸方向である。）に沿って鏝板３０３が収容されるものである。なお、内部空間２７の該断面は、鏝板３０３が内部空間２７に向かって挿入される方向（ここでは一端２３ａから他端２３ｂへの方向。ここでは線分Ｘに沿った方向。）に対して垂直な平面による断面である。
加えて、本収容具１１においては、使用者（図示省略）が水平面に直立した場合に本体部２１の前記一端２３ａが前記他端２３ｂよりも上に存するよう、該使用者の身体（図示省略）に周回される帯体１０１に本体部２１を取り付ける取付手段（ここでは取付環状部４１の貫通穴４３）を備えるものである。また、ここでは取付手段（取付環状部４１の貫通穴４３）が、前記他端２３ｂよりも前記一端２３ａに近い位置において前記帯体１０１を貫通させる貫通部（貫通穴４３）である。
【図面の簡単な説明】
【００２２】
【図１】一例の本考案の左官用鏝収容具（本収容具）を示す斜視図である。
【図２】本収容具の右側面図（図１中、矢印Ｃ方向視）である。
【図３】本収容具の平面図（図１中、矢印Ｄ方向視）である。
【図４】本収容具の断面図（図４（ａ）は図１のＡ−Ａ断面図であり、図４（ｂ）は図１のＢ−Ｂ断面図である。）である。
【図５】左官用鏝を収容した本収容具を示す斜視図である。
【図６】左官用鏝を収容した本収容具を示す右側面図である。
【図７】左官用鏝を収容した本収容具を示す平面図である。
【図８】左官用鏝を収容した本収容具を示す断面図（図８（ａ）は図５のＡ−Ａ断面図であり、図８（ｂ）は図５のＢ−Ｂ断面図である。）である。
【符号の説明】
【００２３】
１１        本収容具
２１        本体部
２３ａ      一端
２３ｂ      他端
２４ａ      （線分Ｘの）一端
２５ａ      縁部
２７        内部空間
２９ａ      一端開口
２９ｂ      他端開口
３１        切り欠き部
３３        幅一定部
３３ｃ      最も奥に位置する縁
３５        幅減少部
４１        取付環状部
４３        貫通穴
１０１        帯体
２０１        外部空間
３０１        左官用鏝
３０３        鏝板
３０３ａ      先端部
３０５        連結部
３０７        柄
【図１】
0003137177.tif 000003
【図２】
0003137177.tif 000004
【図３】
0003137177.tif 000005
【図４】
0003137177.tif 000006
【図５】
0003137177.tif 000007
【図６】
0003137177.tif 000008
【図７】
0003137177.tif 000009
【図８】
0003137177.tif 000010